【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
無線通信によってＩＣタグにアクセスし、前記ＩＣタグに対して発券処理を実行する第１の端末と、無線通信によって前記ＩＣタグにアクセスし、前記ＩＣタグに対して入出場処理を実行する第２の端末と、を備えるタグアクセスシステムであって、
前記ＩＣタグは、データを格納する記憶部と、前記第１の端末及び第２の端末からのコマンドを受信し、前記記憶部に格納されたデータを送信する入出力部と、を備え、
前記第１の端末は、前記第１の端末の外部からデータを入力する入力部と、前記ＩＣタグに送信するコマンドを生成するコマンド生成部と、前記ＩＣタグにアクセスするＩＣタグアクセス部と、前記コマンド生成部で使用される鍵情報を保管する鍵保管部と、を備え、
前記第２の端末は、前記ＩＣタグから受信したデータの正当性を判定する判定部と、前記ＩＣタグに送信するコマンドを生成するコマンド生成部と、前記ＩＣタグにアクセスするＩＣタグアクセス部と、前記コマンド生成部で使用される鍵情報を保管する鍵保管部と、を備え、
前記第１の端末は、
数列を生成し、
前記生成された数列に基づいて、データの格納位置及び格納形態を示すデータ格納情報を生成し、
前記生成されたデータ格納情報を前記ＩＣタグに格納し、
前記生成されたデータ格納情報に基づいて、データを分割し、
前記分割されたデータを前記ＩＣタグに格納することを特徴とするタグアクセスシステム。
【請求項２】
前記第２の端末は、
前記ＩＣタグに格納された前記データ格納情報を取得し、
前記取得したデータ格納情報に基づいて、分割された複数のデータの格納位置を特定し、
前記ＩＣタグに格納された前記分割された複数のデータを取得し、
前記データ格納情報に基づいて、前記分割された複数のデータを結合することによって、データを再構成することを特徴とする請求項１に記載のタグアクセスシステム。
【請求項３】
前記第２の端末は、
前記データ格納情報に基づいて、前記ＩＣタグに格納するデータを分割し、
前記分割されたデータを前記ＩＣタグに格納することを特徴とする請求項２に記載のタグアクセスシステム。
【請求項４】
前記タグアクセスシステムは、さらに、無線通信によって前記ＩＣタグにアクセスし、前記ＩＣタグに対して精算処理を実行する第３の端末を備え、
前記第３の端末は、
前記ＩＣタグから受信したデータの正当性を判定する判定部と、前記ＩＣタグに送信するコマンドを生成するコマンド生成部と、前記ＩＣタグにアクセスするＩＣタグアクセス部と、前記第３の端末の外部からデータを入力する入力部と、前記コマンド生成部で使用される鍵情報を保管する鍵保管部と、を備え、
前記ＩＣタグに格納された前記データ格納情報を取得し、
前記取得したデータ格納情報に基づいて、分割された複数のデータの格納位置を特定し、
前記ＩＣタグに格納された前記分割された複数のデータを取得し、
前記データ格納情報に基づいて、前記分割された複数のデータを結合することによって、データを再構成することを特徴とする請求項１から請求項３のいずれか一つに記載のタグアクセスシステム。
【請求項５】
前記第３の端末は、
前記データ格納情報に基づいて、前記ＩＣタグに格納するデータを分割し、
前記分割されたデータを前記ＩＣタグに格納することを特徴とする請求項４に記載のタグアクセスシステム。
【請求項６】
前記データ格納情報は、データの分割数と、データの格納エリアと、データの開始アドレスと、データのサイズと、暗号化及び圧縮の有無を示すデータ格納オプションと、を含むことを特徴とする請求項１から請求項５のいずれか一つに記載のタグアクセスシステム。
【請求項７】
前記データ格納情報は、データの分割数と、前記ＩＣタグのデータ格納領域が分割された各領域に割り当てられた識別子と、暗号化及び圧縮の有無を示すデータ格納オプションと、を含むことを特徴とする請求項１から請求項５のいずれか一つに記載のタグアクセスシステム。
【請求項８】
前記第１の端末は、
前記生成されたデータ格納情報に基づいて、データを分割し、
前記分割されたデータと、前記生成されたデータ格納情報を前記分割されたデータの格納位置及び格納形態を示す情報と、を含む分割データブロックを生成し、
前記生成された分割データブロックを前記ＩＣタグに格納することを特徴とする請求項１から請求項７のいずれか一つに記載のタグアクセスシステム。
【請求項９】
前記分割データブロックは、前記分割されたデータと、前記分割されたデータの位置を示す識別子と、前記分割されたデータの種別を示すデータ種別と、前記分割されたデータのサイズと、前記分割されたデータに対する暗号化及び圧縮の有無を示すデータ格納オプションと、を含むことを特徴とする請求項８に記載のタグアクセスシステム。
【請求項１０】
前記分割データブロックは、所定の区切り符号の後に配置されることを特徴とする請求項８又は請求項９に記載のタグアクセスシステム。
【請求項１１】
前記第２の端末は、
前記ＩＣタグに格納されたデータを取得し、
前記取得したデータに含まれる前記分割データブロックの区切り符号を先頭から順に読み取ることによって、前記分割データブロックの位置及び長さを特定し、
前記特定された分割データブロックを取得し、
前記取得した分割データブロックを正しい順序に並べ替えた後、前記分割データブロックから前記データ格納情報を再構成し、
前記データ格納情報に基づいて、分割データブロックに含まれる前記分割されたデータを結合することによって、データを再構成することを特徴とする請求項８から請求項１０のいずれか一つに記載のタグアクセスシステム。
【請求項１２】
前記タグアクセスシステムは、さらに、無線通信によって前記ＩＣタグにアクセスし、前記ＩＣタグに対して精算処理を実行する第３の端末を備え、
前記第３の端末は、
前記ＩＣタグに格納されたデータを取得し、
前記取得したデータに含まれる前記分割データブロックの区切り符号を先頭から順に読み取ることによって、前記分割データブロックの位置及び長さを特定し、
前記特定された分割データブロックを取得し、
前記取得した分割データブロックを正しい順序に並べ替えた後、前記分割データブロックから前記データ格納情報を再構成し、
前記データ格納情報に基づいて、分割データブロックに含まれる前記分割されたデータを結合することによって、データを再構成することを特徴とする請求項８から請求項１１のいずれか一つに記載のタグアクセスシステム。
【請求項１３】
前記第１の端末は、
乱数を生成し、
前記生成された乱数によって前記数列を構成することを特徴とする請求項１から請求項１２のいずれか一つに記載のタグアクセスシステム。
【請求項１４】
前記第１の端末は、
前記生成された乱数の中に同じ値が含まれる場合、前記生成された同じ値を削除し、
新たな値を追加することを特徴とする請求項１３に記載のタグアクセスシステム。
【請求項１５】
前記第１の端末は、
前記発券処理毎に更新されるシリアル番号によって前記数列を構成することを特徴とする請求項１から請求項１４のいずれか一つに記載のタグアクセスシステム。
【請求項１６】
前記第１の端末は、前記第１の端末に設定されている固有の識別子によって前記数列を構成することを特徴とする請求項１から請求項１５のいずれか一つに記載のタグアクセスシステム。
【請求項１７】
無線通信によってＩＣタグにアクセスし、前記ＩＣタグに対して発券処理を実行する第１の端末と、無線通信によって前記ＩＣタグにアクセスし、前記ＩＣタグに対して入出場処理を実行する第２の端末と、を備えるタグアクセスシステムにおいて前記ＩＣタグにデータを格納する方法であって、
前記第１の端末は、
数列を生成し、
前記生成された数列に基づいて、データの格納位置及び格納形態を示すデータ格納情報を生成し、
前記生成されたデータ格納情報を前記ＩＣタグに格納し、
前記生成されたデータ格納情報に基づいて、データを分割し、
前記分割されたデータを前記ＩＣタグに格納し、
前記第１の端末及び前記第２の端末は、
前記ＩＣタグに格納された前記データ格納情報を取得し、
前記取得したデータ格納情報に基づいて、前記分割された複数のデータの格納位置を特定し、
前記ＩＣタグに格納された前記分割された複数のデータを取得し、
前記取得したデータ格納情報に基づいて、前記分割された複数のデータを結合することによって、データを再構成した後、再構成されたデータを検証することを特徴とするＩＣタグのデータ格納方法。